【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
送信側電子機器と受信側電子機器との通話セッション中に、前記受信側電子機器で前記送信側電子機器から受信したパケットデータに基づいて探知されるネットワーク輻輳の程度に応じて前記送信側電子機器のためのビットレートを制御する制御工程と、
前記受信側電子機器で前記通話セッション中に、受信した前記パケットデータのビットレートに基づいて帯域幅を拡張するか否かを決める決定工程と、
前記受信側電子機器で制御された前記ビットレートを前記送信側電子機器に送信する送信工程を含み、
制御された前記ビットレートを受信した前記送信側電子機器で、受信した前記ビットレートでパケットデータが生成され送信されることを特徴とする方法。
【請求項２】
前記制御工程は、
前記通話セッション中に前記ネットワーク輻輳が探知された場合、前記ネットワーク輻輳の程度を定量化した値を生成し、前記生成された値が予め設定されたしきい値を超過する場合にはビットレートを減少させ、前記生成された値が前記予め設定されたしきい値未満の場合にはビットレートを増加させることを特徴とする、請求項１に記載の方法。
【請求項３】
前記送信側電子機器で、制御された前記ビットレートと狭帯域のために予め設定されたビットレートとの比較によって雑音抑制のためのモードが選択され、
制御された前記ビットレートが前記予め設定されたビットレート未満の場合、前記雑音抑制のためのモードのうち雑音を抑制する程度が相対的に最も大きいモードが選択されることを特徴とする、請求項１に記載の方法。
【請求項４】
前記帯域幅を拡張するか否かを決める決定工程は、
受信した前記パケットデータのビットレートが狭帯域のために予め設定されたビットレート以上の場合、前記受信側電子機器が備えるＡＢＥ（Ａｒｔｉｆｉｃｉａｌ  Ｂａｎｄｗｉｄｔｈ  Ｅｘｔｅｎｓｉｏｎ）を活性化させて前記帯域幅を拡張することを特徴とする、請求項１に記載の方法。
【請求項５】
送信側電子機器と受信側電子機器との通話セッション中に、前記送信側電子機器が前記受信側電子機器からビットレートを受信する受信工程と、
受信した前記ビットレートでパケットデータを生成して前記受信側電子機器に送信する送信工程を含み、
受信した前記ビットレートは、前記受信側電子機器で受信したパケットデータに基づいて探知されるネットワーク輻輳の程度によって制御され、
前記通話セッション中に、前記受信側電子機器で受信した前記パケットデータのビットレートに基づいて帯域幅が拡張されるか否かが決まることを特徴とする方法。
【請求項６】
前記送信側電子機器で、制御された前記ビットレートと狭帯域のために予め設定されたビットレートとの比較によって雑音抑制のためのモードを選択する選択工程をさらに含み、
前記雑音抑制のためのモードを選択する選択工程は、
制御された前記ビットレートが前記予め設定されたビットレート未満の場合、前記雑音抑制のためのモードのうち雑音を抑制する程度が相対的に最も大きいモードを選択することを特徴とする、請求項５に記載の方法。
【請求項７】
前記受信側電子機器で受信したパケットデータのビットレートが狭帯域のために予め設定されたビットレート以上の場合、前記受信側電子機器が備えるＡＢＥ（Ａｒｔｉｆｉｃｉａｌ  Ｂａｎｄｗｉｄｔｈ  Ｅｘｔｅｎｓｉｏｎ）を活性化させて前記帯域幅を拡張することを特徴とする、請求項５に記載の方法。
【請求項８】
送信側電子機器と受信側電子機器との通話セッション中に、ネットワーク輻輳の程度に応じて前記送信側電子機器で制御されるビットレートで送信されたパケットデータを受信側電子機器で受信する受信工程と、
前記通話セッション中に、前記受信側電子機器で受信した前記パケットデータのビットレートに基づいて帯域幅を拡張するか否かを決める決定工程を含むことを特徴とする方法。
【請求項９】
前記通話セッション中にネットワーク輻輳を探知し、前記ネットワーク輻輳が探知された場合、前記ネットワーク輻輳に関する情報を生成して前記送信側電子機器に送信する送信工程をさらに含み、
前記パケットデータのビットレートは、前記通話セッション中に前記受信側電子機器から前記送信側電子機器に送信された前記ネットワーク輻輳に関する情報に基づいて前記送信側電子機器で制御されることを特徴とする、請求項８に記載の方法。
【請求項１０】
送信側電子機器と受信側電子機器との通話セッション中に、前記受信側電子機器からネットワーク輻輳に関する情報を受信する受信工程と、
前記通話セッション中に、前記送信側電子機器で受信した前記情報に基づいてビットレートを制御する制御工程と、
制御された前記ビットレートでパケットデータを生成して前記受信側電子機器に送信する送信工程を含み、
前記通話セッション中に、前記受信側電子機器で前記パケットデータのビットレートに基づいて帯域幅が拡張されるか否かが決まることを特徴とする方法。
【請求項１１】
前記ネットワーク輻輳に関する情報は、前記送信側電子機器で前記通話セッション中に探知されるネットワーク輻輳に基づき、前記ネットワーク輻輳の程度を定量化したファクタの値を含むように生成されて送信され、
前記ビットレートを制御する制御工程は、
前記送信側電子機器が送信する前記ネットワーク輻輳に関する情報が含む前記ファクタの値が予め設定されたしきい値を超過する場合には前記ビットレートを減少させ、前記ファクタの値が前記予め設定されたしきい値未満の場合には前記ビットレートを増加させることを特徴とする、請求項１０に記載の方法。
【請求項１２】
コンピュータに、請求項１〜１１のうちいずれか一項に記載の方法を実行させるためのプログラム。
【請求項１３】
送信側電子機器と受信側電子機器との通話セッション中に、前記受信側電子機器で前記送信側電子機器から受信したパケットデータに基づいて探知されるネットワーク輻輳の程度に応じて前記送信側電子機器のためのビットレートを制御するビットレート制御手段、
前記通話セッション中に、受信した前記パケットデータのビットレートに基づいて帯域幅を拡張するか否かを決める帯域幅制御手段、
制御された前記ビットレートを前記送信側電子機器に送信する送受信制御手段を備え、
制御された前記ビットレートを受信した前記送信側電子機器で、受信されたビットレートでパケットデータが生成されて送信されることを特徴とする、受信側電子機器のシステム。
【請求項１４】
前記ビットレート制御手段は、
前記通話セッション中に前記ネットワーク輻輳が探知された場合、前記ネットワーク輻輳の程度を定量化した値を生成し、前記生成された値が予め設定されたしきい値を超過する場合にはビットレートを減少させ、前記生成された値が前記予め設定されたしきい値未満の場合にはビットレートを増加させることを特徴とする、請求項１３に記載のシステム。
【請求項１５】
前記送信側電子機器で、制御された前記ビットレートと狭帯域のために予め設定されたビットレートとの比較によって雑音抑制のためのモードが選択され、
制御された前記ビットレートが前記予め設定されたビットレート未満の場合、前記雑音抑制のためのモードのうち雑音を抑制する程度が相対的に最も大きいモードが選択されることを特徴とする、請求項１３に記載のシステム。
【請求項１６】
前記帯域幅制御手段は、
受信した前記パケットデータのビットレートが狭帯域のために予め設定されたビットレート以上の場合、前記受信側電子機器が備えるＡＢＥ（Ａｒｔｉｆｉｃｉａｌ  Ｂａｎｄｗｉｄｔｈ  Ｅｘｔｅｎｓｉｏｎ）を活性化させて前記帯域幅を拡張することを特徴とする、請求項１３に記載のシステム。
【請求項１７】
送信側電子機器と受信側電子機器との通話セッション中に、前記送信側電子機器が前記受信側電子機器からビットレートを受信する受信手段、
受信した前記ビットレートでパケットデータを生成して前記受信側電子機器に送信するパケットデータ送信手段を備え、
受信した前記ビットレートは、前記受信側電子機器で受信したパケットデータに基づいて探知されるネットワーク輻輳の程度に応じて制御され、
前記通話セッション中に、前記受信側電子機器で受信した前記パケットデータのビットレートに基づいて帯域幅が拡張されるか否かが決まることを特徴とする、送信側電子機器のシステム。
【請求項１８】
前記送信側電子機器で、制御された前記ビットレートと狭帯域のために予め設定されたビットレートとの比較によって雑音抑制のためのモードを選択するモード選択手段をさらに備え、
前記モード選択手段は、
制御された前記ビットレートが前記予め設定されたビットレート未満の場合、前記雑音抑制のためのモードのうち雑音を抑制する程度が相対的に最も大きいモードを選択することを特徴とする、請求項１７に記載のシステム。
【請求項１９】
送信側電子機器と受信側電子機器との通話セッション中に、ネットワーク輻輳の程度に応じて前記送信側電子機器で制御されるビットレートで送信されたパケットデータを受信側電子機器で受信する送受信制御手段、
前記通話セッション中に、前記受信側電子機器で受信した前記パケットデータのビットレートに基づいて帯域幅を拡張するか否かを決める帯域幅制御手段を備えることを特徴とする、受信側電子機器のシステム。
【請求項２０】
送信側電子機器と受信側電子機器との通話セッション中に、前記受信側電子機器からネットワーク輻輳に関する情報を受信する送受信制御手段、
前記通話セッション中に、前記送信側電子機器で受信した前記情報に基づいてビットレートを制御するビットレート制御手段を備え、
前記送受信制御手段は、
制御された前記ビットレートでパケットデータを生成して前記受信側電子機器に送信し、
前記通話セッション中に、前記受信側電子機器で前記パケットデータのビットレートに基づいて帯域幅が拡張されるか否かが決まることを特徴とする、送信側電子機器のシステム。
【手続補正２】
【補正対象書類名】明細書
【補正対象項目名】０００７
【補正方法】変更
【補正の内容】
【０００７】
本発明の一実施態様による方法は、送信側電子機器と受信側電子機器との通話セッション中に、受信側電子機器で送信側電子機器から受信したパケットデータに基づいて探知されるネットワーク輻輳の程度に応じて送信側電子機器のためのビットレートを制御する制御工程と、受信側電子機器で通話セッション中に、受信したパケットデータのビットレートに基づいて帯域幅を拡張するか否かを決める決定工程と、受信側電子機器で制御されたビットレートを送信側電子機器に送信する送信工程を含み、制御されたビットレートを受信した送信側電子機器で、受信したビットレートでパケットデータが生成され送信されることを特徴とする。
【手続補正３】
【補正対象書類名】明細書
【補正対象項目名】０００８
【補正方法】変更
【補正の内容】
【０００８】
本発明の一実施形態に係る方法において、制御工程は、通話セッション中にネットワーク輻輳が探知された場合、ネットワーク輻輳の程度を定量化した値を生成し、生成された値が予め設定されたしきい値を超過する場合にはビットレートを減少させ、生成された値が予め設定されたしきい値未満の場合にはビットレートを増加させてもよい。
【手続補正４】
【補正対象書類名】明細書
【補正対象項目名】０００９
【補正方法】変更
【補正の内容】
【０００９】
本発明の一実施形態に係る方法において、送信側電子機器で、制御されたビットレートと狭帯域のために予め設定されたビットレートとの比較によって雑音抑制のためのモードが選択され、制御されたビットレートが予め設定されたビットレート未満の場合、雑音抑制のためのモードのうち雑音を抑制する程度が相対的に最も大きいモードが選択されてもよい。
【手続補正５】
【補正対象書類名】明細書
【補正対象項目名】００１０
【補正方法】変更
【補正の内容】
【００１０】
本発明の一実施形態に係る方法において、帯域幅を拡張するか否かを決める決定工程は、受信したパケットデータのビットレートが狭帯域のために予め設定されたビットレート以上の場合、受信側電子機器が備えるＡＢＥ（Ａｒｔｉｆｉｃｉａｌ  Ｂａｎｄｗｉｄｔｈ  Ｅｘｔｅｎｓｉｏｎ）を活性化させて帯域幅を拡張してもよい。
【手続補正６】
【補正対象書類名】明細書
【補正対象項目名】００１１
【補正方法】変更
【補正の内容】
【００１１】
本発明の一実施形態による方法は、送信側電子機器と受信側電子機器との通話セッション中に、送信側電子機器が受信側電子機器からビットレートを受信する受信工程と、受信したビットレートでパケットデータを生成して受信側電子機器に送信する送信工程を含み、受信したビットレートは、受信側電子機器で受信したパケットデータに基づいて探知されるネットワーク輻輳の程度によって制御され、通話セッション中に、受信側電子機器で受信したパケットデータのビットレートに基づいて帯域幅が拡張されるか否かが決まることを特徴とする。
【手続補正７】
【補正対象書類名】明細書
【補正対象項目名】００１２
【補正方法】変更
【補正の内容】
【００１２】
本発明の一実施形態による方法は、送信側電子機器と受信側電子機器との通話セッション中に、ネットワーク輻輳の程度に応じて送信側電子機器で制御されるビットレートで送信されたパケットデータを受信側電子機器で受信する受信工程と、通話セッション中に、受信側電子機器で受信したパケットデータのビットレートに基づいて帯域幅を拡張するか否かを決める決定工程を含むことを特徴とする。
【手続補正８】
【補正対象書類名】明細書
【補正対象項目名】００１３
【補正方法】変更
【補正の内容】
【００１３】
本発明の一実施形態による方法は、送信側電子機器と受信側電子機器との通話セッション中に、受信側電子機器からネットワーク輻輳に関する情報を受信する受信工程と、通話セッション中に、送信側電子機器で受信した情報に基づいてビットレートを制御する制御工程と、制御されたビットレートでパケットデータを生成して受信側電子機器に送信する送信工程を含み、通話セッション中に、受信側電子機器でパケットデータのビットレートに基づいて帯域幅が拡張されるか否かが決まることを特徴とする。
【手続補正９】
【補正対象書類名】明細書
【補正対象項目名】００１４
【補正方法】変更
【補正の内容】
【００１４】
本発明の一実施形態による受信側電子機器のシステムは、送信側電子機器と受信側電子機器との通話セッション中に、受信側電子機器で送信側電子機器から受信したパケットデータに基づいて探知されるネットワーク輻輳の程度に応じて送信側電子機器のためのビットレートを制御するビットレート制御手段、通話セッション中に、受信したパケットデータのビットレートに基づいて帯域幅を拡張するか否かを決める帯域幅制御手段、制御されたビットレートを送信側電子機器に送信する送受信制御手段を備え、制御されたビットレートを受信した送信側電子機器で、受信されたビットレートでパケットデータが生成されて送信されることを特徴とする。
【手続補正１０】
【補正対象書類名】明細書
【補正対象項目名】００１５
【補正方法】変更
【補正の内容】
【００１５】
本発明の一実施形態による送信側電子機器のシステムは、送信側電子機器と受信側電子機器との通話セッション中に、送信側電子機器が受信側電子機器からビットレートを受信する受信手段、受信したビットレートでパケットデータを生成して受信側電子機器に送信するパケットデータ送信手段を備え、受信したビットレートは、受信側電子機器で受信したパケットデータに基づいて探知されるネットワーク輻輳の程度に応じて制御され、通話セッション中に、受信側電子機器で受信したパケットデータのビットレートに基づいて帯域幅が拡張されるか否かが決まることを特徴とする。
【手続補正１１】
【補正対象書類名】明細書
【補正対象項目名】００１６
【補正方法】変更
【補正の内容】
【００１６】
本発明の一実施形態による受信側電子機器のシステムは、送信側電子機器と受信側電子機器との通話セッション中に、ネットワーク輻輳の程度に応じて送信側電子機器で制御されるビットレートで送信されたパケットデータを受信側電子機器で受信する送受信制御手段、通話セッション中に、受信側電子機器で受信したパケットデータのビットレートに基づいて帯域幅を拡張するか否かを決める帯域幅制御手段を備えることを特徴とする。
【手続補正１２】
【補正対象書類名】明細書
【補正対象項目名】００１７
【補正方法】変更
【補正の内容】
【００１７】
本発明の一実施形態による送信側電子機器のシステムは、送信側電子機器と受信側電子機器との通話セッション中に、受信側電子機器からネットワーク輻輳に関する情報を受信する送受信制御手段、通話セッション中に、送信側電子機器で受信した情報に基づいてビットレートを制御するビットレート制御手段を備え、送受信制御手段は、制御されたビットレートでパケットデータを生成して受信側電子機器に送信し、通話セッション中に、受信側電子機器でパケットデータのビットレートに基づいて帯域幅が拡張されるか否かが決まることを特徴とする。